(57)【要約】【課題】  電子写真画像形成装置において、離型剤を供給せずに定着を行う画像形成装置を使用し、画像形成装置が離型剤を使用しない場合でも、金色トナーによる画像形成が可能である画像形成装置を得ることを目的とする。【解決手段】  離型剤を供給せずに定着を行う画像形成装置の定着装置において、金色トナーによる画像形成では離型剤を含まないトナーを使用し、他の色による画像形成では離型剤を含むトナーを用い、かつ、金色トナーによる画像形成が行われる場合には、金色トナーと同じ場所に離型剤を含む他の色のトナーを現像し積層して定着を行う機能を持つことを特徴とする画像形成装置を主要な構成にする。【選択図】  図１
2006308673.tif 000002
【特許請求の範囲】
【請求項１】
離型剤を供給せずに定着を行う画像形成装置の定着装置において、
金色の画像形成は離型剤を含まない金色トナーを使用し、他の色の画像形成は離型剤を含むトナーを用い、かつ、前記金色トナーによる画像形成が行われる場合には、金色トナーと同じ場所に離型剤を含む他の色のトナーを現像し積層して定着を行う機能を持つことを特徴とする画像形成装置。
【請求項２】
カラー画像形成装置において、前記金色トナーと同じ場所に積層される離型剤を含む他の色のトナーが黄色及びまたは透明であることを特徴とする請求項１記載の画像形成装置。
【請求項３】
前記カラー画像形成装置において、前記金色トナーが光を反射するフレーク状の物質を含有していることを特徴とする請求項１または２記載の画像形成装置。
【請求項４】
前記カラー画像形成装置において、離型剤を有しない金色トナー像が像担持体に転写される前に、前記金色トナー像が転写される像担持体上に、離型剤を含む金色以外の色のトナーを像担持体に転写することを特徴とする請求項１から３のいずれか１項に記載の画像形成装置。
【請求項５】
請求項１〜４に記載の画像形成装置を用いて離型剤を有しない金色トナー像が像担持体に転写される前に、前記金色トナー像が転写される像担持体上に、離型剤を含む金色以外の色のトナーを像担持体に転写することを特徴とする画像形成方法。
【発明の詳細な説明】
【技術分野】
【０００１】
本発明は、電子写真方式の定着において離型剤を供給しない画像形成装置および画像形成方法に関し、特にこの定着装置を使用しながら金色の画像形成を可能とする画像形成装置および画像形成方法に関する。
【背景技術】
【０００２】
学校での卒業証書等の証明書、あるいは企業や公官庁での表彰状や感謝状のように、ほとんど同じ画像を含む書類等でありながら、名前や所属等、一部のみが異なる画像を大量に作成しなければならない場合がある。これらの画像は、枠等に金色の画像を用いて華やかさ、豪華さを演出している。
【０００３】
従来、このような書面等は、予め枠等を印刷された専用紙を用いて手書きにより対応をしていたが、専用紙はコストが高く、大量の枚数でないと購入できないことから、例えば枠のデザインを変更しようとしても、新たに発注し直さねばならなかった。
しかし最近では、パソコンによる画像作成能力の向上と、カラープリンターの性能向上に伴いこれら金色の画像を用いた画像も、画像形成することが可能となってきた。
【０００４】
例えば、銅、亜鉛及びアルミニウムを主成分とした金属の微粉末を着色剤に用いた電子写真用トナーを用いて金色の画像を形成する発明が開示されている（特許文献１参照）。
しかしながら、この画像の金色の部分は、単に金色であるだけで、安っぽい平坦な画像であり、金色のもつ華やかで、豪華なイメージの画像とはかけ離れていた。
【０００５】
また、薄片状角度依存性光沢顔料をレーザプリターの印刷に使用し、光反射材を含むトナーとしてフレーク状の光を反射する物質をトナーに含有させて、金色の画像形成を行う画像形成装置が開示されている（例えば特許文献２、３参照）。
【０００６】
この画像形成装置では、画像を印刷した印刷物の角度を変えることでキラキラと光り、装飾性豊かな画像を作製することができる。
しかしながら、これらの金色トナーには離型剤を有していないため、画像形成装置に用いる場合には、定着に離型剤を供給しながら画像形成を行う画像形成装置を使用しないと、定着でのオフセットの異常画像や紙詰まりが発生しやすかった。
【０００７】
定着に離型剤を供給しながら画像形成を行う画像形成装置では、画像形成装置のメンテナンスや運搬時に定着用の離型剤がこぼれて床を汚したり滑りやすくすることがあるので、トナーに離型剤を含有させて画像形成を行い、定着時の離型剤を不要にして前述の不具合を解消する方法が実用化されている。
【０００８】
また、金色及び/または銀色のトナーを用い、中間転写体を用いる画像形成装置として、中間転写ベルト上にカラートナー像と金色トナー像を転写し、金色画像の入ったカラー画像を得ることのできる画像形成装置が開示されている（例えば特許文献４参照）。
この文献には金色トナーに離型剤を含有できることが開示されているが、金色トナーに離型剤を含有させると金色がくすんだ色となり美しさの面で改良点が多く、好ましくなかった。
【０００９】
このような金色トナーは離型剤を含有させることが難しいため、定着で離型剤を供給せずに画像形成を行う画像形成装置では金色トナーを使用することができなかった。
【００１０】
また、関連特許として、平板状ガラスフレークに銀をコーテイングした光沢性顔料を使用する電子写真用金色トナー（黄色の顔料を入れる）が提案されている（例えば特許文献５参照）。
【００１１】
その他、薄片状無機結晶基質上に二酸化チタン及び黄色酸化鉄からなる薄片を被覆させた顔料を用いた電子写真用金色トナーも提案されている（例えば特許文献６参照）。
【特許文献１】特開平９−１６０２９８号公報
【特許文献２】特開２００２−３５１１４４号公報
【特許文献３】特開２００４−６１８２２号公報
【特許文献４】特開２００２−２２９２９３号公報
【特許文献５】特開２００３−２０７９４１号公報
【特許文献６】特公平６−７３０２８号公報
【発明の開示】
【発明が解決しようとする課題】
【００１２】
上述したように、金色がくすんだ色となり、美しさの面で好ましくなかったり、金色トナーに離型剤を含有させたりすることが難しいという問題があり、定着で離型剤を供給せずに画像形成を行う画像形成装置では金色トナーを使用することができなかったという問題があった。
【００１３】
本発明は、上述した問題点に鑑みてなされたもので、離型剤を供給せずに定着を行う定着装置を有する画像形成装置を使用し、画像形成装置が離型剤を使用しない場合でも、金色トナーによる画像形成が可能である画像形成装置を得ることを目的とする。
【課題を解決するための手段】
【００１４】
上記の課題を解決するために、請求項１に記載の発明は、離型剤を供給せずに定着を行う画像形成装置の定着装置において、金色トナーによる画像形成では離型剤を含まないトナーを使用し、他の色による画像形成では離型剤を含むトナーを用い、前記金色トナーによる画像形成が行われる場合には、金色トナーと同じ場所に離型剤を含む他の色のトナーを現像し積層して定着する画像形成装置を特徴とする。
【００１５】
また、請求項２に記載の発明は、請求項１において、カラー画像形成装置において、前記金色トナーと同じ場所に積層される離型剤を含む他の色のトナーが黄色及びまたは透明である画像形成装置を特徴とする。
【００１６】
また、請求項３に記載の発明は、前記カラー画像において、前記金色トナーがフレーク状の光を反射する物質を含有している請求項１または２記載の画像形成装置を特徴とする。
【００１７】
また、請求項４に記載の発明は、前記カラー画像を形成する方法において、離型剤を有しない金色トナー像が像担持体に転写される前に、前記金色トナー像が転写される像担持体の場所に、離型剤を含む他の色のトナーを像担持体に転写し、定着する請求項１から３のいずれか１項に記載の画像形成装置を特徴とする。
【００１８】
また、請求項５に記載の発明は、請求項１〜４のいずれか１項に記載の画像形成装置を用いて、離型剤を有しない金色トナー像が像担持体に転写される前に、前記金色トナー像が転写される像担持体の場所に、離型剤を含む他の色のトナーを像担持体に転写し、定着することを特徴とする画像形成方法の発明である。
【発明の効果】
【００１９】
本発明によれば、離型剤を供給せずに定着を行う画像形成装置の定着装置において、金色トナーによる画像形成では離型剤を含まないトナーを使用し、他の色による画像形成では離型剤を含むトナーを用い、かつ、金色トナーによる画像形成が行われる場合には、金色トナーと同じ場所に離型剤を含む他の色のトナーを現像し積層して定着を行う機能を持つことを特徴とする画像形成装置により、離型剤の含有しない金色トナーの場所に離型剤を有する他の色のトナーが積層しているため、定着に離型剤を供給しなくても、オフセット、紙詰まりが発生することなく美しい金色画像を形成可能な画像形成装置を提供することが可能となる。
【００２０】
特に、離型剤を含有しない金色トナーの場所に離型剤を有する黄色または透明のトナーを積層することにより、定着に離型剤を供給しなくても、オフセット、紙詰まりが発生することなく非常に美しい金色画像を画像形成可能な画像形成装置を提供することが可能となる。
【発明を実施するための最良の形態】
【００２１】
以下、図面を参照して、本発明の画像形成装置を実施形態により詳細に説明する。
本発明者らは定着で離型剤を供給せずに画像形成を行う画像形成装置でも、離型剤を含まない金色トナーを有する画像を形成するにはどうすれば良いか鋭意検討を重ねた結果、金色トナーには離型剤を含まないのであるが、金色トナーと同じ場所に離型剤を含む他の色のトナーを現像して定着を行えば、金色トナーを有する場所でも全く問題なく画像形成が行うことができることを見出し本発明に至った。
【００２２】
本発明の金色トナーは光を反射する物質を含有している。本発明の光を反射する物質としては、十分な光沢を実現するものであれば特に制限されないが、金属粉、合金粉、フレーク状の金属粉、フレーク状の合金粉、金属が被覆された無機物の粉体、金属が被覆された有機物の粉体、金属が被覆された無機物のフレーク状粉体、金属が被覆された有機物のフレーク状粉体などを使用し、必要に応じて２種以上を併用することもできる。
【００２３】
具体的には、白金粉、金粉、銀粉、銅粉、アルミニウム粉、ブロンズ粉（ペールゴールド及びリッチゴールド等）、クロム粉、チタン粉、亜鉛粉、ニッケル粉、スズ粉などの金属粉および合金粉などを使用する。金色は金のように物質そのものが金色のものもあるが、光を反射する物質に黄色〜オレンジの色の層を設けることで、金色に見えるようになる。ただし、黄色〜オレンジの色の層が厚くなりすぎると、反射光が外色の層で吸収されてしまう。この場合には、黄色〜オレンジとなってしまうので、色の層は薄く、あるいは色の濃度を薄くする必要がある。
【００２４】
光を反射する物質は、微粉末であっても金色を発現させることは可能であるが、平面的な色となってしまうため、光を多く反射できるフレーク状の形状であると、キラキラと光り輝く華やかな金色の画像を形成できるので好ましい。
【００２５】
光を反射するフレーク状の物質は、その物質そのものがフレーク状であっても良いが、例えばフレーク状のフッ素樹脂、シリコーン樹脂、エステル樹脂、フェノール樹脂、エポキシ樹脂、スチレン樹脂、アクリル樹脂、アミド樹脂、ウレタン樹脂、カーボネート樹脂、塩化ビニル樹脂、塩化ビニル酢酸ビニル共重合体系樹脂、尿素樹脂、メラミン樹脂などの樹脂の上に光を反射する物質を蒸着やスパッタ等の乾式法や、無電界めっきのような湿式法により作製する方が生産性、均一性、経済性の面で好ましい。
【００２６】
光を反射するフレーク状の物質が金属、あるいは合金の場合は導電性であるため、そのまま電子写真プロセスに適用すると、現像、帯電、転写の時に、放電が生じ、感光体や部材を破壊する可能性が高い。このため、光を反射する物質は前述の黄色〜オレンジ色の光を透過させる樹脂あるいは無機物、透明な樹脂や無機物で被覆していることが好ましい。
【００２７】
具体的には、シリカ、アルミナ、チタニア、フッ化マグネシウム等の無機物で被覆されたフレーク状金属粉および合金粉；フッ素樹脂、シリコーン樹脂、エステル樹脂、フェノール樹脂、エポキシ樹脂、ジ−ターシャリーブチルサリチル酸の金属錯体、スチレン樹脂、アクリル樹脂、アミド樹脂、ポリビニルブチラール、ニグロシン、アミノアクリレート樹脂、ウレタン樹脂、カーボネート樹脂、塩化ビニル樹脂、塩化ビニル酢酸ビニル共重合体系樹脂、尿素樹脂、メラミン樹脂、塩基性染料、塩基性染料のレーキ等の有機物で被覆されたフレーク状金属粉および／又は合金粉を使用する。
【００２８】
また、シリカ、アルミナ、チタニア、フッ化マグネシウム等の無機物で被覆されたフレーク状金属粉およびフレーク状合金粉；フッ素樹脂、シリコーン樹脂、エステル樹脂、フェノール樹脂、エポキシ樹脂、ジ−ターシャリーブチルサリチル酸の金属錯体、スチレン樹脂、アクリル樹脂、アミド樹脂、ポリビニルブチラール、ニグロシン、アミノアクリレート樹脂、ウレタン樹脂、カーボネート樹脂、塩化ビニル樹脂、塩化ビニル酢酸ビニル共重合体系樹脂、尿素樹脂、メラミン樹脂、塩基性染料、塩基性染料のレーキ等の有機物で被覆されたフレーク状金属粉および／又はフレーク状合金粉を使用する。
【００２９】
更に、金属および合金で被覆された無機物で、その被覆層が更にシリカ、アルミナ、チタニア、フッ化マグネシウム等の無機物で被覆された粉体およびフレーク；金属および合金で被覆された無機物で、その被覆層が更にフッ素樹脂、シリコーン樹脂、エステル樹脂、フェノール樹脂、エポキシ樹脂、ジ−ターシャリーブチルサリチル酸の金属錯体、スチレン樹脂、アクリル樹脂、アミド樹脂、ポリビニルブチラール、ニグロシン、アミノアクリレート樹脂、ウレタン樹脂、カーボネート樹脂、塩化ビニル樹脂、塩化ビニル酢酸ビニル共重合体系樹脂、尿素樹脂、メラミン樹脂、塩基性染料、塩基性染料のレーキ等の有機物で被覆された粉体およびフレーク；金属および合金で被覆された樹脂で、その被覆層が更にシリカ、アルミナ、チタニア、フッ化マグネシウム等の無機物で被覆された粉体およびフレーク；金属および合金で被覆された樹脂で、その被覆層が更にフッ素樹脂、シリコーン樹脂、エステル樹脂、フェノール樹脂、エポキシ樹脂、ジ−ターシャリーブチルサリチル酸の金属錯体、スチレン樹脂、アクリル樹脂、アミド樹脂、ポリビニルブチラール、ニグロシン、アミノアクリレート樹脂、ウレタン樹脂、カーボネート樹脂、塩化ビニル樹脂、塩化ビニル酢酸ビニル共重合体系樹脂、尿素樹脂、メラミン樹脂、塩基性染料、塩基性染料のレーキ等の有機物で被覆された粉体および／又はフレーク等から選択される１種を使用でき、必要に応じて、前記した二種以上を適宜組み合わせて光反射材として併用することもできる。
【００３０】
以上の様な光反射材の平均粒子径は、トナーの定着性および離型性などを損なうことなく、画像の十分な光沢を実現するため、１μｍ以上が好ましく、５μｍ以上がより好ましく、１０μｍ以上の場合もあり、一方、５００μｍ以下が好ましく、２００μｍ以下がより好ましく、１００μｍ以下が更に好ましく、５０μｍ以下の場合もある。
【００３１】
また、光反射材のトナー全体に占める割合は、画像の十分な光沢を実現するために、０．１質量％以上が好ましく、０．５質量％以上がより好ましく、一方、トナーの定着性および離型性などを損なわない観点から、４０質量％以下が好ましく、２０質量％以下がより好ましい。
【００３２】
一成分現像剤を作製する場合、光反射材をトナーに配合するが、光反射材を含有しないトナーと光反射材とを混合して現像剤を調製することもでき、光反射材を含有するトナーに（同一のまたは別の）光反射材を更に加えて混合して現像剤を調製することもできる。
【００３３】
また、光反射材を含有するキャリアとトナーからなる二成分現像剤を作製する場合、光反射材をトナーに配合するが、キャリアに光反射材を配合することもでき、この際に光反射材を含有しないトナーと光反射材を含有しないキャリアと光反射材とを混合して現像剤を調製したり、あるいは少なくとも一方に光反射材を配合したトナー及びキャリアに更に光反射材を混合して、現像剤を調製したりすることもできる。
以上の様な光反射材を含有する現像剤の場合、光反射材の現像剤全体に占める割合は、画像の十分な光沢を実現するために、０．０１質量％以上が好ましく、０．１質量％以上がより好ましく、一方、トナーの定着性および離型性などを損なわない観点から、４０質量％以下が好ましく、２０質量％以下がより好ましい。
【００３４】
（結着樹脂）
結着樹脂はトナーの各構成要素を十分結着し、トナーの良好な定着性および帯電性などを実現するものであれば特に制限されずに使用可能であるが、たとえばこのような結着樹脂として、ビニルアルコール系樹脂、ビニルエーテル系樹脂、ビニルブチラール系樹脂、ウレタン系樹脂、エステル系樹脂、エポキシ系樹脂、スチレン系樹脂、アクリル系樹脂、エチレン系樹脂、プロピレン系樹脂、酢酸ビニル系樹脂、塩化ビニル系樹脂、アミド系樹脂、ビニルトルエン重合体、マレイン酸重合体、フェノール樹脂、天然変性フェノール樹脂、天然樹脂変性マレイン酸樹脂、シリコーン樹脂、フラン樹脂、キシレン樹脂、テルペン樹脂、クマロンインデン樹脂、石油系樹脂、ワックス類；これらの樹脂の単量体成分から選択される１種または２種以上の（共）重合体の１種などを使用したり、また必要に応じて複数の樹脂を併用することもできる。
【００３５】
また、十分な光沢を実現するために透明な結着樹脂が好ましく、透明な結着樹脂としては、塩化ビニル系樹脂、スチレン系樹脂、アクリル系樹脂などが好ましく、アイオノマー樹脂、イソブチレン−無水マレイン酸共重合樹脂、アクリロニトリル−アクリリックスチレン共重合樹脂、アクリロニトリル−スチレン共重合樹脂、アクリロニトリル−ブタジエン−スチレン共重合樹脂、アクリロニトリル塩素化ポリエチレン−スチレン共重合樹脂、エチレン−塩化ビニル共重合樹脂、エチレン−酢酸ビニル共重合樹脂、エチレン−酢酸ビニル−塩化ビニルグラフト共重合樹脂、塩化ビニリデン樹脂、塩化ビニル樹脂、塩化ビニル−塩化ビニリデン共重合樹脂、ポリカーボネート樹脂、ポリスチレン樹脂、ハイインパクトポリスチレン樹脂、ポリメチルスチレン樹脂、ポリアクリル酸エステル樹脂、ポリメチルメタクリレー卜樹脂、エポキシアクリレート樹脂、アルキルフェノール樹脂、ロジン変性フェノール樹脂、ロジン変性アルキド樹脂、フェノール変性アルキド樹脂、エポキシ変性アルキド樹脂、スチレン変性アルキド樹脂、アクリル変性アルキド樹脂、アミノアルキド樹脂、塩化ビニル−酢酸ビニル樹脂、スチレン−ブタジエン樹脂、エポキシ樹脂、不飽和ポリエステル樹脂、ポリウレタン樹脂、酢酸ビニル系エマルジョン樹脂、スチレン−ブタジエン系エマルジョン樹脂、アクリル酸エステル系エマルジョン樹脂、水溶性アルキド樹脂、水溶性メラミン樹脂、水溶性尿素樹脂、水溶性フェノール樹脂、水溶性エポキシ樹脂、水溶性ポリブタジエン樹脂などを１種単独であるいは２種以上併用して使用する。
【００３６】
例えば、スチレン系樹脂およびスチレン系樹脂の単量体成分から作成される（共）重合体の具体例としては、ポリスチレン、ポリ−ｐ−クロルスチレン、ポリビニルトルエン等のスチレン及びスチレン誘導体のホモポリマー；スチレン−ｐ−クロルスチレン共重合体、スチレン−ビニルトルエン共重合体、スチレン−ビニルナフタリン共重合体、スチレン−アクリル酸エステル共重合体、スチレン−メタクリル酸エステル共重合体、スチレン−α−クロルメタクリル酸メチル共重合体、スチレン−アクリロニトリル共重合体、スチレン−ビニルメチルエーテル共重合体、スチレン−ビニルエチルエーテル共重合体、スチレン−ビニルメチルケトン共重合体、スチレン−ブタジエン共重合体、スチレン−イソプレン共重合体、スチレン−アクリロニトリル−インデン共重合体などのスチレン系共重合体などを１種単独でまたは２種以上併用して使用する。
【００３７】
更に、架橋構造を有する樹脂を結着樹脂として使用することもできる。架橋構造を有する結着樹脂は架橋剤と結着樹脂とを反応させて得ることができ、この際に使用される架橋剤としては、２個以上の重合可能な二重結合を有する化合物を使用する。例えば、ジビニルベンゼン、ジビニルナフタレン等の芳香族ジビニル化合物；エチレングリコールジアクリレート、エチレングリコールジメタクリレート、１，３−ブタジオールジメタクリレート等の二重結合を２個有するカルボン酸エステル；ジビニルアニリン、ジビニルエーテル、ジビニルスルフィド、ジビニルスルホン等のジビニル化合物；３個以上のビニル基を有する化合物などから選択される化合物を１種単独で使用し、必要に応じて複数を併用して使用することもできる。
【００３８】
一方、プロピレン系樹脂、エチレン系樹脂、エステル系樹脂、アミド系樹脂などの様に半透明樹脂を使用すれば、ソフト感のある光沢の画像を実現できる。
【００３９】
以上の様な結着樹脂の中でも、エステル系樹脂、エポキシ系樹脂、スチレン系樹脂、アクリル系樹脂およびこれらの樹脂の単量体成分を１種単独でまたは２種以上併用した（共）重合体を使用したものが好ましく、特にエステル系樹脂が低温での定着ができ好ましい。
【００４０】
本発明のカラー画像に使用する金色トナー以外の色のトナーは、通常、離型剤を含有している電子写真用トナーとして使用されるものを、特に制限無く使用することができる。
例えば、該電子写真用トナーに使用される結着剤樹脂の一例としては、ポリスチレン，ポリｐ−クロロスチレン，ポリビニルトルエン等のスチレン及びその置換体の単重合体；スチレン／ｐ−クロロスチレン共重合体，スチレン／プロピレン共重合体，スチレン／ビニルトルエン共重合体，スチレン／ビニルナフタレン共重合体，スチレン／アクリル酸メチル共重合体，スチレン／アクリル酸エチル共重合体，スチレン／アクリル酸ブチル共重合体，スチレン／アクリル酸オクチル共重合体，スチレン／メタクリル酸メチル共重合体，スチレン／メタクリル酸エチル共重合体，スチレン／メタクリル酸ブチル共重合体，スチレン／α−クロルメタクリル酸メチル共重合体，スチレン／アクリロニトリル共重合体，スチレン／ビニルメチルケトン共重合体，スチレン／ブタジエン共重合体，スチレン／イソプレン共重合体，スチレン／マレイン酸共重合体等のスチレン系共重合体；ポリアクリル酸メチル，ポリアクリル酸ブチル，ポリメタクリル酸メチル，ポリメタクリル酸ブチル等のアクリル酸エステル系単重合体やその共重合体；ポリ塩化ビニル，ポリ酢酸ビニル等のポリビニル誘導体；ポリエステル系重合体，ポリウレタン系重合体，ポリアミド系重合体，ポリイミド系重合体，ポリオール系重合体，エポキシ系重合体，テルペン系重合体，脂肪族または脂環族炭化水素樹脂，芳香族系石油樹脂などが挙げられ、これらを単独であるいは２種以上混合して使用できるが特にこれらに限定するものではない。
【００４１】
中でも、スチレン−アクリル系共重合樹脂，ポリエステル系樹脂，ポリオール系樹脂より選ばれる少なくとも１種以上であることが、電気特性、コスト面等から、より好ましいものである。更には、良好な定着特性を有するものとして、ポリエステル系樹脂および／またはポリオール系樹脂の使用が、一層好ましい。
【００４２】
また、該電子写真用トナーに使用される着色剤としては、従来からトナー用着色剤として使用されてきた顔料及び染料が使用でき、具体的には、カーボンブラック、ランプブラック、鉄黒、群青、ニグロシン染料、アニリンブルー、フタロシアニンブルー、フタロシアニングリーン、ハンザイエローＧ、ローダミン６Ｃレーキ、カルコオイルブルー、クロムイエロー、キナクリドンレッド、ベンジジンイエロー、ローズベンガル等を単独で、あるいは２種以上混合して用いる事ができる。
【００４３】
更に、所望により、トナー粒子自身に磁気特性を持たせるには、フェライト、マグネタイト、マグヘマイト等の酸化鉄類、鉄、コバルト、ニッケル等の金属あるいはこれらと他の金属との合金等の磁性成分を単独で、または２種以上混合してトナー粒子へ含有させればよい。また、これらの成分は、着色剤成分として使用／併用する事もできる。
【００４４】
また、該電子写真用現像剤に含まれるトナーは離型性物質を含有している。これにより定着オイルを使用しないオイルレス定着を行いつつ、該キャリアの効果により現像剤の長寿命化をも図られる。トナー中に含ませる離型性物質としては、ポリエチレンワックス、プロピレンワックス、カルナウバワックス等のワックス類が好ましく用いられるが、これらに限定されるものではない。これらの使用量としては、用いる材料の種類や定着の方法にもよるが、およそ０．５〜１０．０重量％程度の使用が好ましく、３．０〜８．０重量％程度の使用が更に好ましい。
【００４５】
トナー流動性や環境依存性改良のための添加剤も添加可能であり、これらは一般に公知のものが使用できる。例えば、酸化亜鉛、酸化錫、酸化アルミニウム、酸化チタン、酸化珪素、チタン酸ストロンチウム、チタン酸バリウム、チタン酸カルシウム、ジルコン酸ストロンチウム、ジルコン酸カルシウム、チタン酸ランタン、炭酸カルシウム、炭酸マグネシウム、マイカ、ドロマイト等の無機粉末や、これらの疎水化物が単独または混合して使用できる。この他の添加剤として、ポリテトラフルオロエチレン、テトラフルオロエチレンヘキサフルオロプロピレン共重合体、ポリフッ化ビニリデン等のフッ素樹脂微粒子をトナー表面改質剤として使用しても良い。これらは、添加する材料の種類にもよるが、トナー母体粒子１００重量部に対して、およそ０．１〜１０重量部程度を外添し、必要であれば適当な混合機により混合してトナー粒子表面に付着、凝着或いはトナー粒子間隙で遊離した状態になるよう調整し、用いることができる。
【００４６】
この他、帯電の立ち上がりをより良くするための電荷制御剤としては、一般に知られているものが使用でき、例えば、アミノ基含有ビニル系コポリマー、四級アンモニウム塩化合物、ニグロシン染料、ポリアミン樹脂、イミダゾール化合物、アジン系染料、トリフェニルメタン系染料、グアニジン化合物、レーキ顔料等の正帯電性電荷制御剤や、カルボン酸誘導体及びこの金属塩、アルコキシレート、有機金属錯体、キレート化合物等の負帯電性電荷制御剤を、単独でまたは２種以上混合して、トナー粒子中への混練物および／または添加物とすることができる。これら電荷制御剤を分散状態で用いる場合、キャリア粒子表面との相互作用が略均等に生じるためには、その分散径は、２．０μｍ以下であることが好ましく、１．０μｍ以下であることが更に好ましいものである。
【００４７】
本発明の現像剤中のトナー粒子製造方法としては、上述のような原材料を、二本ロール、二軸押出し混練機、一軸押出し混練機等の公知の機器を用いて公知の方法により混練し、これを機械式や気流式等の公知の方法で粉砕・分級を行い、トナー母体粒子を作成する事ができる。また混練時に、着色剤や磁性体の分散状態を制御するための分散剤等を併用しても良い。更に、このトナー母体粒子は、前述の添加剤を添加し、混合機等により混合・表面改質を行っても良い。
またこの外に、樹脂単量体や、低分子量樹脂オリゴマー等を出発原料としてトナー粒子を造粒する、いわゆる重合トナーを用いても良い。
【００４８】
また、これらのトナー粒子の帯電電荷量は、実使用プロセスにより異なるため一概に決定できるものではないが、おおよそ、本発明の構成によるキャリア粒子との組み合わせにおいて、絶対値で３〜４０μＣ／ｇ程度の飽和電荷量である事が好ましく、更には５〜３０μＣ／ｇ程度の飽和電荷量である事が、より好ましい。
また、トナー粒子の粒径としては、重量平均径Ｄ４が、４〜１０μｍ程度の範囲であることが好ましく、トナー粒子の個数基準１０％径は、２．５μｍ以上である事が、より安定した画質を得る為には好ましい。
【００４９】
図１は、本発明の金色カラー画像形成装置の第１の実施形態を示す概略構成図である。本実施形態の画像形成装置は、いわゆるタンデム型の電子写真画像形成装置である。本実施形態の画像形成装置は、像担持体１２８を載せて矢印Ａ１、Ａ２、Ａ３の方向に周動する転写体ベルト１１２が、張架ロール１０２、１０４、１０６および転写装置１１０の転写ロール１０８により張架され、転写体ベル１１２の周動方向に順に、ブラック、シアン、マゼンタ、イエローの一般色のトナーによる、一般色のトナー画像を形成する電子写真方式の一般色のための画像形成装置１００Ｋ、１００Ｃ、１００Ｍ、１００Ｙと、本発明の金色カラー画像形成装置に使用される金色のトナーによる、金色のトナー画像を形成する電子写真方式の金属色の画像形成装置１００Ｇと、転写装置１１０、およびベルトクリーナ１１４とが配されて構成される。
【００５０】
また、上記一般色画像形成装置１００Ｋ、１００Ｃ、１００Ｍ、１００Ｙ、および金属色画像形成装置１００Ｇは、それぞれ、中間転写体ベルト１１２に従動回転するように矢印Ｂ方向に回転する感光体１１８Ｋ、１１８Ｃ、１１８Ｍ、１１８Ｙ、および１１８Ｇの他、その表面を一様に帯電する帯電手段１２４Ｋ、１２４Ｃ、１２４Ｍ、１２４Ｙ、および１２４Ｇと、さらにその表面に画像情報に応じた潜像を形成する露光手段１１６Ｋ、１１６Ｃ、１１６Ｍ、１１６Ｙ、および１１６Ｇと、それぞれの感光体に形成された潜像に各色のトナーを用いて現像し、トナー画像を得る感光体現像手段１２２Ｋ、１２２Ｃ、１２２Ｍ、１２２Ｙ、および１２２Ｇと、中間転写体１１２を介して感光体１１８Ｋ、１１８Ｃ、１１８Ｍ、１１８Ｙ、および１１８Ｇにそれぞれ対向して配置され、それぞれの感光体に形成されたトナー画像を転写ベルト１１２上の像担持体１２８に転写する転写手段１２６Ｋ、１２６Ｃ、１２６Ｍ、１２６Ｙ、および１２６Ｇと、感光体１１８Ｋ、１１８Ｃ、１１８Ｍ、１１８Ｙ、および１１８Ｇの表面をそれぞれ清浄化するクリーニング手段１２０Ｋ、１２０Ｃ、１２０Ｍ、１２０Ｙ、および１２０Ｇと、が感光体１１８Ｋ、１１８Ｃ、１１８Ｍ、１１８Ｙ、および１１８Ｇの回転方向に順にそれぞれ配置されてなる。
【００５１】
ここで、転写ベルト１１２上の像担持体１２８への画像形成の動作を、ブラックのトナー像を形成する一般色画像形成装置１００Ｋを代表させて説明する。一般色画像形成装置１００Ｋの感光体１１８Ｋは、転写ベルト１１２上の像担持体１２８の矢印Ａ１方向への進行と同一の線速度で、従動回転する。感光体１１８Ｋの表面は、帯電手段１２４Ｋにより一様な電位状態に帯電され、露光手段１１６Ｋにより静電潜像が形成される。この静電潜像は、感光体現像手段１２２Ｋによってブラックのトナー画像とされ、転写手段１２６Ｋによって転写ベルト１１２上の像担持体１２８に転写される。転写の後、感光体１１８Ｋの表面に残留したトナーは、クリーニング手段１２０Ｋによって掻き取られる。感光体１１８Ｋの表面は、必要に応じて不図示の除電手段によって、電荷が消去された後、次の画像形成サイクルのために、帯電手段１２４Ｋにより再び帯電される。
【００５２】
本画像形成装置では、金色トナーと像担持体との間に存在する色のトナー（ここではイエロー）での感光体への露光は、その色の画像と金色トナーの画像、あるいはその色の画像と金色トナーの画像よりも僅かに大きな画像とを合わせて行われる。これにより金色トナーが存在する場所の下には必ず他の色のトナーが存在することになり、キラキラと光り輝く、豪華な金色カラー画像を画像形成することができる。
各一般色画像形成装置１００Ｋ、１００Ｃ、１００Ｍ、１００Ｙ、および金色現像装置１００Ｇの相対的な位置のずれを考慮したタイミングで、上記と同様の画像形成工程が一般色現像装置１００Ｃ、１００Ｍ、１００Ｙ、および金色画像形成装置１００Ｇにおいても行われ、転写ベルト１１２上の像担持体１２８上には各色のトナー画像が重ね合わされ、一般色からなるフルカラーのトナー画像と、金属色のトナー画像とが形成される（一般色画像形成工程および金色画像形成工程）。
【００５３】
転写ベルト１１２上の像担持体１２８はさらに矢印Ａ２方向への周動し、トナー画像が形成された箇所が１１０の所まで移動すると、該トナー画像はトナー像が形成された像担持体は転写ベルト１１２から分離され、矢印Ｃ方向に進み、定着装置１３６に搬送される。定着装置１３６は、加熱ロール１３２に圧接ロール１３４が圧接されてなり、両者間にはニップ部が形成される。当該ニップ部に、トナー画像が転写された記録媒体１２８が挿通され、加熱ロール１３２からの熱、および圧接ロール１３４の圧力により、記録媒体１２８に転写されたトナー画像が定着される。
【００５４】
定着は、最終画像の光沢や平滑性を左右する重要な工程である。定着方式は加熱加圧ロールによる定着ベルトを用いたベルト定着などが知られているが、上記光沢、平滑性等の画像品質の点からはベルト定着方式の方が好ましい。ベルト定着方式については、例えば特開平１１−３５２８１９号公報に記載のオイルレスタイプのベルト定着方法、特開平１１−２３１６７１号公報、特開平５−３４１６６６号公報に記載の二次転写と定着を同時に達成する方法等が知られている。
さらに、静電転写あるいはバイアスローラー転写に代え、あるいは併用して粘着転写型又は熱支援型の転写方式が知られ、これらを採用することも本発明において好ましい。
【００５５】
本発明の画像形成装置の定着は離型剤を有していないため、メンテナンスや移動の際に、離型剤がこぼれることがなくなるため大変好ましい。
本実施形態の画像形成装置は、ブラック、シアン、マゼンダ、イエロー、金色の順に現像装置を配置したが、金色の画像形成装置（金色の画像形成部）が最後に像担持体に転写される以外、ブラック、シアン、マゼンダ、イエローの画像形成装置（ブラック、シアン、マゼンダ、イエローの画像形成部）の順番はどのような場合であってもよく、特に限定されない。
【００５６】
次に第２の実施形態の画像形成装置について図２の画像形成装置の概略図を用いて説明する。
本実施形態の画像形成装置は、矢印Ａ１、Ａ２、Ａ３方向に周動する中間転写体１１２が、張架ロール１０２、１０４、１０６および転写装置１１０の転写ロール１０８により張架され、中間転写体１１２の周動方向に順に、金色、ブラック、シアン、マゼンタ、イエローのトナーによる、画像形成装置１００Ｇ、１００Ｃ、１００Ｍ、１００Ｙ、１００Ｋ、転写装置１１０、およびベルトクリーナ１１４が配されて構成される。
【００５７】
また、一般色画像形成装置１００Ｇ、１００Ｃ、１００Ｍ、１００Ｙ、１００Ｋは、それぞれ、中間転写体１１２に従動回転するように矢印Ｂ方向に回転する感光体１１８Ｇ、１１８Ｃ、１１８Ｍ、１１８Ｙ、および１１８Ｋの他、その表面を一様に帯電する帯電手段１２４Ｇ、１２４Ｃ、１２４Ｍ、１２４Ｙ、および１２４Ｋと、さらにその表面に画像情報に応じた潜像を形成する露光手段１１６G、１１６Ｃ、１１６Ｍ、１１６Ｙ、および１１６Ｋと、それぞれの感光体に形成された潜像に各色のトナーを用いて現像し、トナー画像を得る感光体現像手段１２２Ｇ、１２２Ｃ、１２２Ｍ、１２２Ｙ、および１２２Ｋと、中間転写体１１２を介して感光体１１８Ｇ、１１８Ｃ、１１８Ｍ、１１８Ｙ、および１１８Ｋにそれぞれ対向して配置され、それぞれの感光体に形成されたトナー画像を中間転写体１１２に転写する一次転写手段１２６Ｇ、１２６Ｃ、１２６Ｍ、１２６Ｙ、および１２６Ｋと、感光体１１８Ｇ、１１８Ｃ、１１８Ｍ、１１８Ｙ、および１１８Ｋの表面をそれぞれ清浄化するクリーニング手段１２０Ｇ、１２０Ｃ、１２０Ｍ、１２０Ｙ、および１２０Ｋとが、感光体１１８Ｇ、１１８Ｃ、１１８Ｍ、１１８Ｙおよび１１８Ｋの回転方向に順にそれぞれ配置されてなる。
【００５８】
ここで、中間転写体１１２への画像形成の動作を、金色のトナー像を形成する一般色現像装置１００Ｇを代表させて説明する。一般色現像装置１００Ｇの感光体１１８Ｇは、中間転写体１１２の矢印Ａ１方向への進行と同一の線速度で、従動回転する。感光体１１８Ｇの表面は、帯電手段１２４Ｇにより一様な電位状態に帯電され、露光手段１１６Ｇにより静電潜像が形成される。この静電潜像は、感光体現像手段１２２Ｋによってブラックのトナー画像とされ、一次転写手段１２６Ｇによってベルト状の中間転写体１１２の表面に転写される。転写の後、感光体１１８Ｇの表面に残留したトナーは、クリーニング手段１２０Ｇによって掻き取られる。感光体１１８Ｇの表面は、必要に応じて不図示の除電手段によって、電荷が消去された後、次の画像形成サイクルのために、帯電手段１２４Ｇにより再び帯電される。
【００５９】
本画像形成装置では、金色トナーと像担持体との間に存在する色のトナー（ここではイエロー）での感光体への露光は、その色の画像と金色トナーの画像、あるいはその色の画像と金色トナーの画像よりも僅かに大きな画像とを合わせて行われる。これにより金色トナーが存在する場所の下には必ず他の色のトナーが存在することになり、キラキラと光り輝く、豪華な金色カラー画像を画像形成することができる。
【００６０】
本画像形成装置では、画像形成装置（画像形成部）１００Ｇ、１００Ｃ、１００Ｍ、１００Ｙ、１００Kの相対的な位置のずれを考慮したタイミングで、上記と同様の画像形成工程が一般色画像形成装置（一般色画像形成部）１００Ｃ、１００Ｍ、１００Ｙ、１００Ｋにおいても行われ、中間転写体１１２上には各色のトナー画像が重ね合わされ、一般色からなるフルカラーのトナー画像と、金属色のトナー画像とが形成される（一般色画像形成工程および金属色画像形成工程）。
【００６１】
中間転写体１１２がさらに矢印Ａ２方向への周動し、トナー画像が形成された箇所が転写装置１１０の所まで移動すると、該トナー画像は転写装置１１０により記録媒体１２８に転写される。転写装置１１０は、転写ロール１０８および対向ロール１３０が対向配置されてなり、両者間に電圧が印加される構成である。転写ロール１０８および対向ロール１３０の間隙には中間転写体１１２の表面に形成されたトナー画像が記録媒体１２８と接するように、中間転写体１１２および記録媒体１２８が重ね合わせられた状態で、挿通される。すると、転写ロール１０８および対向ロール１３０間に印加された電圧による静電引力（または静電反発力）により、中間転写体１１２の表面に形成されたトナー画像が記録媒体１２８に転写される（転写工程）。
【００６２】
トナー画像が転写された記録媒体１２８は、矢印Ｃ方向に進み、定着装置１３６に搬送される。定着装置１３６は、加熱ロール１３２に圧接ロール１３４が圧接されてなり、両者間にはニップ部が形成される。当該ニップ部に、トナー画像が転写された記録媒体１２８が挿通され、加熱ロール１３２からの熱、および圧接ロール１３４の圧力により、記録媒体１２８に転写されたトナー画像が定着される。
【００６３】
定着は、最終画像の光沢や平滑性を左右する重要な工程である。定着方式は加熱加圧ロールによる定着ベルトを用いたベルト定着などが知られているが、上記光沢、平滑性等の画像品質の点からはベルト定着方式の方が好ましい。ベルト定着方式については、例えば特開平１１−３５２８１９号公報に記載のオイルレスタイプのベルト定着方法、特開平１１−２３１６７１号公報、特開平５−３４１６６６号公報に記載の二次転写と定着を同時に達成する方法等が知られている。さらに、静電転写あるいはバイアスローラー転写に代え、あるいは併用して粘着転写型又は熱支援型の転写方式が知られ、これらを採用することも本発明において好ましい。
【００６４】
本発明の画像形成装置の定着は離型剤を有していないため、メンテナンスや移動の際に、離型剤がこぼれることがなくなるためたいへん好ましい。転写後の中間転写体１１２は、さらに矢印Ａ３方向に周動し、表面に残存するトナーがベルトクリーナ１１４で掻き落とされ、次の画像形成サイクルに供される。
【００６５】
次に第３の実施形態の画像形成装置について図３の概略図をもって説明する。
本実施形態の画像形成装置は、矢印Ｄ１、Ｄ２、Ｄ３方向に周動する中間転写体２１２が、張架ロール２０２、２０４、２０６および転写装置２１０の転写ロール２０８により張架され、中間転写体２１２の周動方向に順に、現像装置２３８、転写装置２１０、および張架ロール２０２に対向配置されたベルトクリーナ２１４が配されて構成される。
また、現像手段２２２は金色、シアン、イエロー、マゼンダ、黒の現像手段２２２Ｇ、２２２Ｃ、２２２Ｍ、２２２Ｙ、２２２Ｂを一体になっており、中心を回転することにより、感光体２１８へ各色の現像を行うことができる。
【００６６】
本実施形態において感光体２１８は、中間転写体２１２に従動回転するように矢印Ｅ方向に回転する感光体２１８の他、その表面を一様に帯電する帯電手段２２４と、さらにその表面に画像情報に応じた潜像を形成する露光手段２１６と、形成された潜像に金色、シアン、イエロー、マゼンダ、黒のトナーを用いて現像し、トナー画像を得る感光体現像手段２２２Ｇ、２２２Ｃ、２２２Ｍ、２２２Ｙ、２２２Ｂと、中間転写体２１２を介して感光体２１８に対向して配置され、感光体２１８に形成されたトナー画像を中間転写体２１２に転写する一次転写手段２２６と、感光体２１８の表面を清浄化するクリーニング手段２２０と、が感光体２１８の回転方向に順にそれぞれ配置されてなる。
【００６７】
ここで、中間転写体２１２への画像形成の動作を説明する。感光体２１８は、中間転写体２１２の矢印Ｄ１方向への進行と同一の線速度で、従動回転する。感光体２１８の表面は、帯電手段２２４により一様な電位状態に帯電され、露光手段２１６により静電潜像が形成される。このとき形成される静電潜像は、金色のトナーでトナー画像が形成されるべき潜像である。この静電潜像は、感光体現像手段２２２Ｇによって金色のトナー画像とされ、一次転写手段２２６によってベルト状の中間転写体２１２の表面に転写される。
【００６８】
次に、感光体２１８の表面は、上記と同様の操作で帯電手段２２４により一様な電位状態に帯電され、露光手段２１６により、シアンのトナーによりトナー画像が形成されるべき静電潜像が形成される。この静電潜像は、感光体現像手段２２２Ｍによってシアンのトナー画像とされ、一次転写手段２２６によってベルト状の中間転写体２１２の表面に転写される。このとき、中間転写体は、金色のトナー画像が転写された位置から、矢印Ｄ１方向と逆方向に周動し、金色のトナー画像の転写時と同位置に位置決めされ、金色のトナー画像の上にシアンのトナー画像が重ねて転写される。さらに、上記同様の操作で、イエローのトナーについて、感光体２１８表面に金色のトナーにより形成する潜像と、本来イエローのトナーが形成する潜像とが合わされた潜像が形成され、感光体現像手段２２２Ｙによってイエローのトナー画像とされ、一次転写手段２２６によってベルト状の中間転写体２１２の表面に転写される。
【００６９】
次に同様に、ブラックのトナーについて、感光体２１８表面に金色のトナーにより形成する潜像と、本来ブラックのトナーが形成する潜像とが合わされた潜像が形成され、感光体現像手段２２２Ｂによってブラックのトナー画像とされ、一次転写手段２２６によってベルト状の中間転写体２１２の表面に転写される。
以上のようにして、中間転写体２１２の表面には、金色、シアン、マゼンタ、イエロー、ブラックのトナー画像とが重ね合わせられて形成される。つまり、本実施形態において、感光体２１８、一次転写手段２２６、クリーニング手段２２０、帯電手段２２４および露光手段２１６は、各色の現像装置の双方に共通の構成要素となっている。
【００７０】
中間転写体２１２がさらに矢印Ｄ２方向への周動し、トナー画像が形成された箇所が転写装置２１０の所まで移動すると、該トナー画像は転写装置２１０により記録媒体２２８に転写される。転写装置２１０の構成は、第１の実施形態と同様である。トナー画像が転写された記録媒体２２８は、矢印Ｆ方向に進み、第１の実施形態と同様、定着装置２３６における加熱ロール２３２および圧接ロール２３４間のニップ部に挿通され定着される。転写後の中間転写体２１２は、さらに矢印Ｄ３方向に周動し、表面に残存するトナーがベルトクリーナ２１４で掻き落とされ、次の画像形成サイクルに供される。
以下、実施例および比較例により本発明を具体的に説明する。
【実施例】
【００７１】
光り反射物質にポリエステル樹脂にアルミニウムを蒸着しものと、黄色の染料で着色したポリエステル樹脂からなる離型剤を含有していない金色トナーと、通常の離型剤を含有したブラック、シアン、マゼンダ、イエローのトナーを用いて画像形成を行った。
画像は飾り枠及び画像上部に優秀特許賞と大きく書いた文字を金色に指定し、他はブラックで内容を書いた表彰状とした。
図１の定着で離型剤を供給せずに定着を行う画像形成装置を用い、飾り枠及び優秀特許賞と大きく書いた文字は、イエローの画像も金色画像の下に形成していた。作製した画像は、金色画像がキラキラと光り輝く、表彰状にふさわしい華やかな画像が得られた。同じ画像を500枚画像形成したが、一枚目と変わらず、金色画像がキラキラと光り輝く、表彰状にふさわしい華やかな画像が得られた。
【００７２】
［比較例］
実施例において、飾り枠及び優秀特許賞と大きく書いた文字は金色トナーのみで画像形成を行う以外は実施例と同様に画像形成を行ったところ、金色画像の輝きが実施例よりも少ない画像となった。同じ画像500枚の画像形成を試みたところ、13枚目の画像から金色の枠の画像に相当するオフセットの異常画像が発生しはじめ、29枚目には定着で紙詰まりが発生してしまった。定着ローラーを観察したところ、金色の画像に相当する金色のトナーが固着していた。
【図面の簡単な説明】
【００７３】
【図１】本発明の金色カラー画像形成装置の１例の概略構成図である。
【図２】本発明の金色カラー画像形成装置の他の例の概略構成図である。
【図３】本発明の金色カラー画像形成装置の別の例の概略構成図である。
【符号の説明】
【００７４】
１００Ｇ    金属色画像形成装置（金属色画像形成部）
１０２、１０４、１０６    張架ロール
１０５、１１０    転写装置
１０８    転写ロール
１００Ｋ、１００Ｃ、１００Ｍ、１００Ｙ    一般色画像形成装置（一般色画像形成部）
１１０    転写装置
１１２    中間転写体
１１４    ベルトクリーナ
１１６Ｋ、１１６Ｃ、１１６Ｍ、１１６Ｙ、１１６Ｇ    露光手段
１１８Ｋ、１１８Ｃ、１１８Ｍ、１１８Ｙ、１１８Ｇ    感光体
１２０Ｋ、１２０Ｃ、１２０Ｍ、１２０Ｙ、１２０Ｇ    クリーニング手段
１２２Ｋ、１２２Ｃ、１２２Ｍ、１２２Ｙ、１２２Ｇ    感光体現像手段
１２４Ｋ、１２４Ｃ、１２４Ｍ、１２４Ｙ、１２４Ｇ    帯電手段
１２６Ｋ、１２６Ｃ、１２６Ｍ、１２６Ｙ、１２６Ｇ    転写手段
１２８    像担持体
２０２、２０４、２０６    張架ロール
２０８    転写ロール
２１０    転写装置
２１２    中間転写体
２１４    ベルトクリーナ
２１６    露光手段
２１８    感光体
２２０    クリーニング手段
２２２    現像手段
２２２Ｇ    金色画像形成手段
２２２Ｃ    シアン（色）現像手段
２２２Ｍ    マゼンダ（色）現像手段
２２２Ｙ    イエロー（色）現像手段
２２２Ｂ    黒（色）現像手段
２２４    帯電手段
２２６    一次転写手段
２２８    記録媒体
２３２    加熱ロール
２３４    圧接ロール
２３６    定着装置
２３８    画像形成装置（画像形成部）
Ａ１、Ａ２、Ａ３    周動方向
Ｄ１、Ｄ２、Ｄ３    中間転写体周動方向
【図１】
2006308673.tif 000003
【図２】
2006308673.tif 000004
【図３】
2006308673.tif 000005